(57)【要約】  【課題】射出タイプのファスナーエレメントの表面を円弧状に膨出する曲面に形成し、手触りのよい美しいファスナーチエンを提供する。  【解決手段】一対のファスナーテープ４における対向側縁６に沿って一定間隔をおいて合成樹脂製の単体タイプのファスナーエレメント２を取り付け、ファスナーエレメント２は表裏に対向して表面部７と裏面部８とを設け、表面部７の表面は全体が上方へ円弧状に膨出する曲面１３を形成し、裏面部８は全体が平坦な平面１４に形成し、ファスナーエレメント２は表裏が異なる形状、また同一形状であってもよく、手触りのよい美しいファスナーチエンが得られる。  【選択図】図１
2006320642.tif 000002
【特許請求の範囲】
【請求項１】
一対のファスナーテープ４の対向側縁６に沿って一定間隔をおいて合成樹脂製のファスナーエレメント２を取り付けたファスナーチエン１において、ファスナーエレメント２は表裏に対向する表面部７と裏面部８とを有し、表面部７は全体が外方へ膨出する曲面１３を形成し、裏面部８は平坦な平面１４に形成してなることを特徴とするスライドファスナー用チエン。
【請求項２】
表面部７は基部１０から先端１１へ向けて支持部１２を突設し、支持部１２は中間１５から先端１１にかけて漸次幅寸法を漸減し、裏面部８は基部１０から先端１１へ向けて支持部１２を突設し、支持部１２は中間１５に頚部１６、先端１１に膨大状の噛合頭部１７を連設してなる請求項１記載のスライドファスナー用チエン。
【請求項３】
表面部７と裏面部８とは同一輪郭に形成し、基部１０から先端１１へ向けて支持部１２を突設し、中間１５に頚部１６、先端１１に膨大状の噛合頭部１７を連設し、頚部１６に係合突部１９を突設し、噛合頭部１７に係合凹部２０を凹設してなる請求項１記載のスライドファスナー用チエン。
【請求項４】
表面部７はファスナーエレメント２の幅方向において膨出する曲面１３を形成してなる請求項１記載のスライドファスナー用チエン。
【請求項５】
表面部７はファスナーエレメント２の長さ方向において膨出する曲面１３を形成してなる請求項１記載のスライドファスナー用チエン。
【請求項６】
表面部７はファスナーエレメント２の幅方向及び長さ方向において膨出する曲面１３を形成してなる請求項１記載のスライドファスナー用チエン。
【請求項７】
表面部７における曲面１３は、曲率半径がＲ２．５〜Ｒ８の範囲内に存在する形に形成してなる請求項１記載のスライドファスナー用チエン。
【発明の詳細な説明】
【技術分野】
【０００１】
この発明は、合成樹脂を用いて射出成形手段によって、一対のファスナーテープの対向側縁に射出タイプのファスナーエレメントを取り付けたスライドファスナー用チエンに関するものである。
【背景技術】
【０００２】
従来、一対のファスナーテープの対向側縁に合成樹脂を用いて射出成形手段によって、射出タイプのファスナーエレメントを取り付け、ファスナーエレメントは表面と裏面とでは形状が異なり、表面はファスナーエレメントの基端から先端に向けて脚部を突設し、この脚部の中間に頚部を設け、頚部の先端に膨大状の噛合頭部を連設するとともに、脚部の下面に上側の脚部よりも厚みが薄く頚部の始点から先端にかけて平面略三角形状の支持部、すなわち脚部の横幅が漸次減少する支持部を設け、上側の頚部の部分で左右のファスナーエレメントを係合させることができる形態に形成した、射出タイプのファスナーエレメントが図１３に示すように知られている。
【特許文献１】実公昭６３−７０４９号公報
【発明の開示】
【発明が解決しようとする課題】
【０００３】
前述の図１３に示す射出タイプのファスナーエレメントは、ファスナーエレメントの表面に基端から先端に向けて脚部を設け、脚部の中間にくびれた頚部を設け、頚部に続いて先端に膨大状の噛合頭部を設け、脚部の下面に上側の脚部よりも厚みが薄く、頚部部分から先端にかけて平面略三角形状の支持部を設けた射出タイプのファスナーエレメントであるから、ファスナーエレメントの表裏両面が平坦な平面から形成された射出タイプのファスナーエレメントであり、ファスナーエレメントから受ける感触が好ましくなく手触りがよくないなど問題点がある。
【０００４】
この発明は、上述の問題点を考慮して発明されたものであり、請求項１記載の発明は、ファスナーチエンにおける射出タイプのファスナーエレメントの表側に現れる表面を曲面すなわち円弧状に形成してファスナーエレメントから受ける感触を良好にし、手触りのよいファスナーチエンに仕上げ、かつファスナーエレメント列の美観の向上を図ることができるスライドファスナー用チエンを提供することが主たる目的である。
【０００５】
請求項２記載の発明は、請求項１記載の発明の目的に加え、ファスナーチエンにおける射出タイプのファスナーエレメントが表側と裏側とでは形状が異なり、表側に配されたファスナーエレメントの表面を曲面に形成して、手触りのよいスライドファスナー用チエンを提供することが目的である。
【０００６】
請求項３記載の発明は、請求項１記載の発明の目的に加え、ファスナーチエンにおける射出タイプのファスナーエレメントが表側と裏側とで同一輪郭から形成されたファスナーエレメントの表面を曲面に形成して、手触りのよいスライドファスナー用チエンを提供することが目的である。
【０００７】
請求項４記載の発明は、請求項１記載の発明の目的に加え、ファスナーチエンにおけるファスナーエレメントの表面に形成する曲面をファスナーエレメントの幅方向すなわちファスナーエレメント列の前後方向に形成して、手触りのよいスライドファスナー用チエンを提供することが目的である。
【０００８】
請求項５記載の発明は、請求項１記載の発明の目的に加え、ファスナーチエンにおけるファスナーエレメントの表面に形成する曲面をファスナーエレメントの長さ方向、すなわちファスナーエレメント列の左右方向に形成して、手触りのよいスライドファスナー用チエンを提供することが目的である。
【０００９】
請求項６記載の発明は、請求項１記載の発明の目的に加え、ファスナーチエンにおけるファスナーエレメントの表面に形成する曲面をファスナーエレメントの幅方向および長さ方向、すなわちファスナーエレメント列の前後方向およびファスナーエレメント列の左右方向の両方向に形成して手触りのよいスライドファスナー用チエンを提供することが目的である。
【００１０】
請求項７記載の発明は、請求項１記載の発明の目的に加え、ファスナーチエンにおけるファスナーエレメントの表面に形成する曲面の曲率半径の数値を限定することによって、良好な曲面をファスナーエレメントの表面に形成して手触りのよいスライドファスナー用チエンを提供することが目的である。
【課題を解決するための手段】
【００１１】
前記の目的を達成するため、この発明のうち請求項１記載の発明は、ファスナーチエン１において、一対のファスナーテープ４における対向側縁６に沿って一定間隔をおいて合成樹脂を用いて射出成形して単体のファスナーエレメント２を取り付け、ファスナーエレメント２は表側と裏側に対向して表面部７と裏面部８とをそれぞれ設け、表面部７の表面は全体が外方すなわち表面へ膨出する曲面１３を形成し、裏面部８は全体が平坦な平面１４に形成したスライドファスナー用チエンを主な構成とするものである。
【００１２】
請求項２記載の発明は、ファスナーチエン１におけるファスナーエレメント２の表面部７は、基部１０すなわちファスナーテープ４に取着側から先端１１すなわち噛合側へ向けて支持部１２を突設し、この支持部１２は中間１５部分から先端１１にかけて漸次幅寸法を漸減して三角形状に形成し、ファスナーエレメント２における裏面部８は基部１０から先端１１へ向けて支持部１２を突設し、支持部１２は中間１５部分にくびれた頚部１６を形成し、先端１１に膨大状を呈する噛合頭部１７を連設したスライドファスナー用チエンである。
【００１３】
請求項３記載の発明は、請求項１記載の発明の構成に加え、ファスナーチエン１におけるファスナーエレメント２の表面部７と裏面部８とを同一輪郭に形成し、基部１０から先端１１へ向けて支持部１２を突設し、支持部１２は中間１５部分にくびれた頚部１６を形成し、先端１１に膨大状の噛合頭部１７を連設し、くびれた頚部１６に係合用の係合突部１９を突設し、噛合頭部１７に係合用の係合凹部２０を先端１１または側面２１に凹設したスライドファスナー用チエンである。
【００１４】
請求項４記載の発明は、請求項１記載の発明の構成に加え、ファスナーチエンにおけるファスナーエレメント２の表面部７は、ファスナーエレメント２の幅方向すなわちファスナーエレメント列３の前後方向において円弧状に膨出する曲面１３を形成したスライドファスナー用チエンである。
【００１５】
請求項５記載の発明は、請求項１記載の発明の構成に加え、ファスナーチエン１におけるファスナーエレメント２の表面部７は、ファスナーエレメント２の長さ方向すなわちファスナーエレメント列３の左右方向において円弧状に膨出する曲面１３を形成したスライドファスナー用チエンである。
【００１６】
請求項６記載の発明は、請求項１記載の発明の構成に加え、ファスナーチエン１におけるファスナーエレメント２の表面部７は、ファスナーエレメント２の幅方向すなわちファスナーエレメント列３の前後方向、および長さ方向すなわちファスナーエレメント列３の左右方向に円弧状に膨出する曲面１３を形成したスライドファスナー用チエンである。
【００１７】
請求項７記載の発明は、請求項１記載の発明の構成に加え、ファスナーチエン１におけるファスナーエレメント２の表面部７に設置する円弧状に膨出する曲面１３は、曲率半径がＲ２．５〜Ｒ８の範囲内に存在する形状に形成したスライドファスナー用チエンである。
【発明の効果】
【００１８】
この発明の効果として、請求項１記載の発明は、一対のファスナーテープの対向側縁に沿って一定間隔をおいて合成樹脂製のファスナーエレメントを取り付けたファスナーチエンにおいて、ファスナーエレメントは表裏に対向する表面部と裏面部とを有し、表面部は全体が外方へ膨出する曲面を形成し、裏面部は平坦な平面に形成したことによって、ファスナーチエンにおける射出タイプのファスナーエレメントの表面が、なだらかに円弧状に膨出する曲面を備えているので、射出タイプのファスナーエレメントの手触りがよく、使用上において感触のよいファスナーチエンが得られ、かつファスナーチエンを美しく仕上げることができる効果がある。
【００１９】
請求項２記載の発明は、請求項１記載の発明の効果に加え、表面部は基部から先端へ向けて支持部を突設し、支持部は中間から先端にかけて漸次幅寸法を漸減し、裏面部は基部から先端へ向けて支持部を突設し、支持部は中間に頚部、先端に膨大状の噛合頭部を連設したことによって、射出タイプのファスナーエレメントの中間部分に表面部よりも裏面部が幅広い支持部を備えさせることができるから、デザイン的に美観を現出できるファスナーチエンに簡単に仕上げることができる効果がある。
【００２０】
請求項３記載の発明は、請求項１記載の発明の効果に加え、表面部と裏面部とは同一輪郭に形成し、基部から先端へ向けて支持部を突設し、中間に頚部、先端に膨大状の噛合頭部を連設し、頚部に係合突部を突設し、噛合頭部に係合凹部を凹設したことによって、射出タイプのファスナーエレメントの表面部と裏面部とを同一外形に仕上げ噛合強度のあるファスナーエレメントの表面外観を美しく、かつ感触のよいファスナーエレメントに仕上げることができる効果がある。
【００２１】
請求項４，５および６記載の発明は、それぞれ請求項１記載の発明の効果に加え、表面部はファスナーエレメントの幅方向において膨出する曲面を形成するか、または長さ方向において膨出する曲面を形成するか、あるいは幅方向および長さ方向において膨出する曲面を形成することによって、射出タイプのファスナーエレメントの表面に具備させる曲面をそれぞれ異なる設置条件で現出しているので、用途により選択できる利点があり、ファスナーチエンを使い分けることができる効果がある。
【００２２】
請求項７記載の発明は、請求項１記載の発明の効果に加え、表面部における曲面は、曲率半径がＲ２．５〜Ｒ８の範囲内に存在する形に形成したことによって、射出タイプのファスナーエレメントの表面に具備させる曲面を具体的な数値をもって、容易に現出することができ、用途に応じて手軽に採択することができ、手触りのよいファスナーエレメントを備えたファスナーチエンを提供できる効果があるなど、この発明が奏する効果はきわめて顕著である。
【発明を実施するための最良の形態】
【００２３】
この発明におけるスライドファスナー用チエンは、図１〜７に示すように、ファスナーチエン１は左右一対のファスナーテープ４の対向側縁６に沿って、所定の間隔をあけて合成樹脂を用いて射出成形した射出タイプの単体のファスナーエレメント２を成形し、ファスナーエレメント２は表裏に対向して表面部７と裏面部８とを形成し、表面部７はファスナーエレメント２の基部１０から先端１１へ向けて支持部１２を突出状に設け、支持部１２は中間１５部分から先端１１にかけてファスナーエレメント２の幅寸法が漸次減少する形に形成し、かつ表面は図６に示すようにファスナーエレメント２の表面において基部１０から先端１１にかけての中央線上すなわちファスナーエレメント２の幅方向へ凸状に湾曲するように上方へ突出する曲面１３を形成する。この曲面１３の曲率半径はＲ２．５〜Ｒ８の範囲内に存在する形状にするのが好ましい。
【００２４】
ファスナーエレメント２における裏面部８は、図３に示すようにファスナーエレメント２の基部１０から先端１１に向けて表面部７と一体に支持部１２を設け、この支持部１２は中間１５部分にくびれた頚部１６を凹設し、頚部１６に続いて膨大状の噛合頭部１７を先端１１側に設ける。裏面部８の表面は図４に示すように平坦な平面１４に形成するとともに、頚部１６の左右には表面部７の支持部１２が突出し、図５に示すように係合相手のファスナーエレメント２における噛合頭部１７を受け入れて互いに係合できるように形成する。
【００２５】
この発明のファスナーチエン１は、上記のとおり形成し、図５に示すように左右のファスナーエレメント２を係合させた場合、ファスナーチエン１の表面部７は、ファスナーエレメント２の幅方向に凸状に湾曲する。すなわち基部１０から先端１１にかけて中央線部分が一番外方へ突出する曲面１３に形成しているので、ファスナーチエン１におけるファスナーエレメント２の表面の支持部１２が幅広く円弧状に膨出し、ファスナーエレメント２における手触りがよく、ファスナーチエン１も外観上美しく仕上げることができる。
【実施例１】
【００２６】
この発明におけるスライドファスナー用チエンについて説明すると、図１〜７に示す実施例１のファスナーチエン１は、左右一対のファスナーテープ４の対向側縁６に設けた膨大状の芯紐５に合成樹脂たとえばポリアミド、ポリアセタール、ポリプロピレン、ポリブチレンテレフタレートなどの熱可塑性樹脂を用いて、射出成形手段によって射出タイプによる単体のファスナーエレメント２を成形し、このファスナーエレメント２をファスナーチエン１の長さ方向に所定の間隔をあけて複数個配設して、ファスナーエレメント列３を形成している。ファスナーチエン１の長さ方向がファスナーエレメント２の幅方向であり、ファスナーチエン１の長さ方向と直交する方向がファスナーエレメント２の長さ方向である。
【００２７】
ファスナーエレメント２は表裏両面において対向する表面部７と裏面部８とを形成し、表面部７はファスナーエレメント２におけるファスナーテープ４に固定した基部１０からファスナーテープ４の対向側縁６よりも外方へ向けて突出する先端１１にかけてファスナーエレメント２の表側略半分を支持部１２として設けている。この支持部１２はファスナーエレメント２の長さ方向の中間部分から先端１１にかけてファスナーエレメント２の幅寸法が漸次減少する形状、すなわち略三角形状を呈する形状に形成し、かつファスナーエレメント２の表面は図６に示すようにファスナーエレメント２の基部１０から先端１１にかけてファスナーエレメント２の幅方向の中央線上が最も上方へ向けて凸状に突出するようにファスナーエレメント２の幅方向に湾曲する形状に形成する。
【００２８】
ファスナーエレメント２における裏面部８は、図４に示すようにファスナーエレメント２の厚さの略半分から形成され、図３に示すようにファスナーエレメント２の基部１０から先端１１に向けて表面部７と一体の支持部１２を設ける。この支持部１２はファスナーエレメント２の長さ方向の中間１５部分において幅寸法の狭いくびれた頚部１６を凹状に設け、この頚部１６に続いてファスナーエレメント２の幅方向へ左右に延びる膨大状の噛合頭部１７を先端１１側に設ける。裏面部８における支持部１２の表面は図４に示すようにファスナーエレメント２の幅方向および長さ方向に平坦な平面１４が形成される。ファスナーエレメント２の頚部１６は表面部７の支持部１２がファスナーエレメント２の幅方向に突出し、図５に示すように頚部１６に係合相手のファスナーエレメント２の噛合頭部１７を受け入れてファスナーファスナーチエン１の長さ方向に隣り合うファスナーエレメント２の間で相手方のファスナーエレメント２を係合できるように形成する。
【００２９】
ファスナーチエン１は上記のとおり形成し、図５に示すように左右のファスナーエレメント２を裏側の頚部１６で係合させたとき、ファスナーエレメント２の表面部７は、ファスナーエレメント２の基部１０から先端１１にかけてファスナーエレメント２の幅方向の中央線上が一番外方へ突出する曲面１３を呈する形状に形成しているので、ファスナーチエン１におけるファスナーエレメント２の表面の支持部１２が幅広く円弧状に膨出するため、ファスナーエレメント２の手触りがよく、しかもファスナーチエン１の外観上もきわめて美しく仕上げることができる。なお曲面１３の曲率半径はＲ２．５〜Ｒ８の範囲内に存在する形状に形成するのがよい。
【００３０】
好適には曲率半径をＲ４〜Ｒ５の範囲内の形状とする。また、ファスナーエレメント２の裏面部８の表面には平坦面が形成されているため、裏面部８の左右における支持部１２の厚み寸法、特に噛合頭部１７の左右両端部分の厚み寸法を著しく減少させることがなく、ファスナーエレメント２は必要な取付強度および係合強度を確保し、ファスナーチエン１に引っ張りや突き押しなどの外力が加わっても、妄りに係合が解除されたり、破損したりすることがない。
【実施例２】
【００３１】
図８に示す実施例２のスライドファスナー用チエンは、ファスナーエレメント２が前記実施例１と同様の熱可塑性樹脂を用いて、ファスナーテープ４の対向側縁６に射出成形手段によって成形し、ファスナーエレメント２はファスナーテープ４の表側に表面部７、裏側に裏面部８を形成し、表面部７はファスナーエレメント２の基部１０から先端１１にかけて支持部１２を形成し、この支持部１２はファスナーエレメント２の中間１５部分から先端１１にかけて幅寸法が漸次減少する形状、すなわち略三角形状を呈する形状に形成するとともに、ファスナーエレメント２の表面を基部１０から先端１１に上方へ向けて凸状に突出しながら湾曲する形状、すなわちファスナーエレメント２の長さ方向において、ファスナーエレメント２の長さ方向の中央が最も突出するように湾曲する曲面１３を形成する構成以外は、前記実施例１と同一構成である。
【実施例３】
【００３２】
図９，１０に示す実施例３のスライドファスナー用チエンは、ファスナーエレメント２が前記各実施例と同様の熱可塑性樹脂を用いて、ファスナーテープ４の対向側縁６に射出成形手段によって成形し、ファスナーエレメント２はファスナーテープ４の表側に表面部７、裏側に裏面部８を形成し、表面部７はファスナーエレメント２の基部１０から先端１１にかけて支持部１２を形成し、この支持部１２はファスナーエレメント２の中間１５部分から先端１１にかけて幅寸法が漸次減少する形状、すなわち略三角形状を呈する形状に形成するとともに、ファスナーエレメント２の表面を基部１０から先端１１にかけての中央線上が凸状に湾曲する形状、すなわちファスナーエレメント２の幅方向に湾曲しながら上方へ凸状に突出し、かつまたファスナーエレメント２の表面を基部１０から先端１１に向けて凸状に湾曲する形状、すなわちファスナーエレメント２の長さ方向に湾曲しながら上方へ凸状に突出し、図１０に示すように２軸方向で上方へ向けて凸状に湾曲する曲面１３を形成する構成以外は、前記各実施例と同一構成である。
【実施例４】
【００３３】
図１１に示す実施例４のスライドファスナー用チエンは、ファスナーエレメント２が前記各実施例と同様の熱可塑性樹脂を用いて、ファスナーテープ４の対向側縁６に射出成形手段によって成形し、ファスナーエレメント２はファスナーテープ４の表側に表面部７、裏側に裏面部８を形成し、この表面部７および裏面部８の外形を形成する輪郭は同一形状に形成し、ファスナーテープ４を挟んで表裏に支持部１２を形成する。ファスナーエレメント２の支持部１２は中間１５部分にくびれた頚部１６を形成し、この頚部１６に連続して先端１１に膨大状の噛合頭部１７を連設する。
【００３４】
ファスナーエレメント２は平面的にみると支持部１２が先端１１に膨大状の噛合頭部１７を設け、その内方にくびれた凹状の頚部１６を連設し、頚部１６に連設して立方体の脚部２２を設けてファスナーテープ４に固定する。凹状の頚部１６の脚部２２側の側面２１中央に角状に突出する係合突部１９を設け、また噛合頭部１７の先端１１に係合相手の係合突部１９が係合できる凹状の係合凹部２０を形成する。
【００３５】
このファスナーエレメント２の表側の支持部１２の表面は、ファスナーエレメント２の長さ方向すなわち基部１０から先端１１にかけて上方へ凸状に湾曲して突出し、かつファスナーエレメント２の幅方向、すなわちファスナーエレメント２の基部１０から先端１１にかけての中央線上においても上方へ凸状に湾曲し突出する曲面１３を設ける。またファスナーエレメント２の裏面部８は全体が平坦な平面１４が形成することによって、表面部７は手触りよく、裏面部８はファスナーエレメント２の取付強度と係合強度を確保したファスナーエレメントが完成する。
【産業上の利用可能性】
【００３６】
この発明の表面が円弧状に膨出したファスナーエレメントを備えたファスナーチエンは、衣服の前立てをはじめ衣服の開口部に用い、その他バッグ、袋物などのあらゆる製品の開閉部分に手触りのよいファスナーチエンとして用いる。
【図面の簡単な説明】
【００３７】
【図１】実施例１に基づく射出タイプのファスナーエレメントを取り付けたファスナーストリンガーの斜視図である。
【図２】同上のファスナーストリンガーの表面を表す正面図である。
【図３】同上のファスナーストリンガーの裏面を表す正面図である。
【図４】同上のファスナーストリンガーの側面を表す側面図である。
【図５】同上のファスナーストリンガーの噛合した状態を表す正面図である。
【図６】同上のファスナーストリンガーに図５におけるＡ−Ａ断面図である。
【図７】同上のファスナーストリンガーの底面を表す底面図である。
【図８】実施例２に基づくファスナーストリンガーの底面を表す底面図である。
【図９】実施例３に基づくファスナーストリンガーの底面を表す底面図である。
【図１０】同上のファスナーエレメントの内部を表す破断面図である。
【図１１】実施例４に基づくファスナーエレメントの斜視図である。
【図１２】公知のファスナーエレメントの斜視図である。
【符号の説明】
【００３８】
１      ファスナーチエン
２      ファスナーエレメント
４      ファスナーテープ
６      対向側縁
７      表面部
８      裏面部
１０    基部
１１    先端
１２    支持部
１３    曲面
１４    平面
１５    中間
１６    頚部
１７    噛合頭部
１９    係合突部
２０    係合凹部
【図１】
2006320642.tif 000003
【図２】
2006320642.tif 000004
【図３】
2006320642.tif 000005
【図４】
2006320642.tif 000006
【図５】
2006320642.tif 000007
【図６】
2006320642.tif 000008
【図７】
2006320642.tif 000009
【図８】
2006320642.tif 000010
【図９】
2006320642.tif 000011
【図１０】
2006320642.tif 000012
【図１１】
2006320642.tif 000013
【図１２】
2006320642.tif 000014